(57)【要約】  本発明に係る装置は、一方の側（ソケット側）では標準プラグソケットに挿入可能なプラグ部を備える。複数のチャンバ（１５）が他方の側（プラグ側）に存在し、該チャンバにそれぞれプラグが挿入可能である。さらに、装置は複数のアダプタコンタクトを有し、プラグ部をソケットに差し込むことにより、該コンタクトをソケットコンタクトと電気的に接触させ得る。チャンバでは各々、アダプタコンタクトのうち少なくとも２つが、差し込まれたプラグのプラグコンタクトにより導電的に接触可能である。チャンバがソケット開口内に少なくとも部分的に存在することにより、すなわち挿入されたプラグがソケット開口に突入することにより、プラグの少なくとも１片がソケット開口内に位置する。さらに、本発明によれば、これらはソケットコンタクトの配置に関して、少なくとも互いの上部に、そして好ましくは互いに隣り合って配置される。アダプタコンタクトはフレキシブルプリント基板のストリップ導体として設計されてよい。
2010501987.tif 000002
【特許請求の範囲】
【請求項１】
ソケット開口（３）を有し、かつ前記ソケット開口の内部に剥き出しの状態で位置している複数のソケットコンタクト（５）を有する標準の電気信号リード線プラグソケット（１）に複数のプラグ（６１，６２）を接続するための装置（１１）であって、互いに隣り合って配置された少なくとも４つのソケットコンタクトが前記ソケット開口の第１の方向を規定し、
前記プラグソケット（１）に挿入可能なプラグ部（１２）と、
前記プラグ部が挿入されると、前記プラグソケットのソケットコンタクト（５）と導電接続する、複数のアダプタコンタクトと、
前記プラグ（６１，６２）を差し込み可能な複数のチャンバ（１５；９１，９２，９３）と、
を備え、
各チャンバにおいて、前記アダプタコンタクトのうち少なくとも２つに、前記差し込まれたプラグのプラグコンタクト（６３）が導電的に接触可能であり、
前記ソケット開口（３）に、前記チャンバに差し込まれた前記プラグのうち少なくとも一部が突入するように前記チャンバが設計されかつ寸法決めされ、
前記チャンバのうち少なくとも２つが、前記第１の方向とは異なる方向に互いに隔てられる、装置。
【請求項２】
前記装置が前記プラグソケット（１）に挿入され、少なくとも１つのプラグ（６１，６２）が少なくとも１つのチャンバ（１５；９１，９２，９３）に挿入される際、ソケットコンタクト（５）とプラグコンタクト（６３）とが、アダプタコンタクト上に直接載置されること、および前記アダプタコンタクトに弾性の部分が無いことを特徴とする、請求項１に記載の装置。
【請求項３】
前記アダプタコンタクトが、フレキシブルプリント基板（３３）のストリップ導体（３４）により形成されたことを特徴とする、請求項１または２に記載の装置。
【請求項４】
前記装置がちょうど４つのチャンバ（１５）を含み、前記チャンバの各々が、前記ソケットの四隅のうちの１つに位置することを特徴とする、請求項１から３のいずれか１項に記載の装置。
【請求項５】
分離壁（１７）が、前記チャンバ（１５；９１，９２，９３）間の横方向の仕切りを含み、前記装置のプラグ側の端面（１６）まで突出することを特徴とする、請求項１から４のいずれか１項に記載の装置。
【請求項６】
挿入軸に垂直な断面の前記チャンバ（１５；９１，９２，９３）が、内部へ突出する少なくとも１つの凸部（１８，９４）および／または外部へ延びる凹部を持つ矩形の形状を有することを特徴とする、請求項１から５のいずれか１項に記載の装置。
【請求項７】
前記少なくとも１つの凸部（１８，９４）および／または前記少なくとも１つの凹部が、前記チャンバ（１５）の各々において等しく設計されて、同じプラグが前記チャンバの各々に挿入可能となることを特徴とする、請求項６に記載の装置。
【請求項８】
少なくとも２つのチャンバ（１５）の前記凸部および／または凹部（１８，９４）が同一でないことで、機械的識別をもたらすことを特徴とする、請求項６に記載の装置。
【請求項９】
複数のプラグをＲＪ４５プラグソケット（１）に接続するのに好適であるように、前記装置が設計されかつ寸法決めされたことを特徴とする、請求項１から８のいずれか１項に
記載の装置。
【請求項１０】
前記ＲＪ４５プラグソケット（１）の一方のコンタクト対４／５と他方のコンタクト対３／６とが、前記第１の方向に関して互いに隣り合っていないチャンバに割り振られたアダプタコンタクトと電気接続することを特徴とする、請求項９に記載の装置。
【請求項１１】
前記装置が、
前記チャンバ（１５；９１，９２，９３）を持ち、かつ前記ソケットの内部に突入する突起部（３１．３）を持つアダプタ外側部分（３１）と、
前記突起部を部分的に閉鎖し、上部に前記アダプタコンタクトがストリップ導体として設計されているフレキシブルプリント基板（３３）と、
前記フレキシブルプリント基板の周囲に少なくとも部分的に弾装されかつこれを固定するアダプタ内側部分（３２）と、
を備えたことを特徴とする、請求項１から１０のいずれか１項に記載の装置。
【請求項１２】
前記プラグソケットのシールドとプラグシールド（７０）との間に導電接続を生成する手段を特徴とする、請求項１から１１のいずれか１項に記載の装置。
【請求項１３】
前記アダプタ外側部分（３１）の表面が、少なくともいくつかの領域において導電性であることを特徴とする、請求項１１および１２のいずれかに記載の装置。
【請求項１４】
請求項１から１３のいずれか１項に記載の装置と、
前記チャンバのうちの１つに差し込み可能な少なくとも１つのプラグ部を有し、かつ前記プラグの差し込み状態において、前記アダプタコンタクトのコンタクト部位（４４）に接触する少なくとも２つのプラグコンタクト（６３）を有する、少なくとも１つのプラグ（６１，６２）と、
を備える、プラグ−ソケットシステム。
【請求項１５】
前記プラグコンタクト（６３）が、前記プラグの挿入状態において、前記アダプタコンタクトのうちの１つに押し付けられる弾性部分（６３．１）を備えたことを特徴とする、請求項１４に記載のプラグ−ソケットシステム。
【請求項１６】
前記チャンバのうちの１つに挿入可能な前記プラグ部を用いて、前記チャンバに向かって開口するスロット（６７）が形成され、前記プラグコンタクト（６３）の区分（６３．１）がこのスロット内に剥き出しの状態で位置することを特徴とする、請求項１４または１５に記載のプラグ−ソケットシステム。
【請求項１７】
特に請求項１４から１６のいずれか１項に記載のプラグ−ソケットシステム用に使用可能なプラグ−ソケット分配器モジュールであって、
互いに隣り合って配置された複数のプラグ開口（１０３）を有する正面部材（１０２）と、
ストリップ導体を有し、かつ、縁部（１０４．１）であって、これに沿って前記ストリップ導体がコンタクト部位を形成している縁部を有する、回路基板（１０４）と、
を備え、
前記回路基板が、前記正面部材（１０２）に対して、前記プラグ開口に挿入されたプラグのコンタクトが前記コンタクト部位に接触して通電するように配置される、プラグ−ソケット分配器モジュール。
【請求項１８】
引かれた信号リード線を接続することで、前記信号リード線と前記ストリップ導体との間の電気接続が生成可能な装置（１０５）を特徴とする、請求項１７に記載のプラグ−ソ
ケット分配器モジュール。
【請求項１９】
プラグが挿入されると、前記プラグ開口に面する前記回路基板縁部の端部側が、前記プラグのスロット（６７）に突入し、該スロット内に前記プラグコンタクト（６３）が剥き出しの状態で位置するように、前記プラグ開口（１０３）が前記回路基板（１０４）に対して設計かつ配置されたことを特徴とする、請求項１７または１８に記載のプラグ−ソケット分配器モジュール。
【請求項２０】
ソケット開口（３）、および、前記ソケット開口の内部において剥き出しの状態で位置する複数のソケットコンタクト（５）を有する標準の電気信号リード線プラグソケット（１）に複数のプラグ（６１，６２）を接続するための装置（１１）であって、
前記プラグソケット（１２）に挿入可能なプラグ部（１２）と、
プラグ部（１２）が挿入されると、前記プラグソケットのソケットコンタクト（５）と導電接続する複数のアダプタコンタクトと、
前記プラグ（６１，６２）を差し込み可能な複数のチャンバ（１５；９１，９２，９３）と、
を備え、
各チャンバにおいて、前記アダプタコンタクトのうち少なくとも２つが、前記挿入されたプラグのプラグコンタクト（６３）によって導電接触を受けることが可能であり、
前記装置が前記プラグソケット（１）に差し込まれ、少なくとも１つのプラグ（６１，６２）が少なくとも１つのチャンバ（１５；９１，９２，９３）に挿入されると、ソケットコンタクト（５）とプラグコンタクト（６３）とがアダプタコンタクト上に直接載置され、
前記アダプタコンタクトには弾性部分が無い、装置。
【請求項２１】
前記プラグの少なくとも一部が前記チャンバに挿入され、前記ソケット開口（３）に突入するように、前記チャンバが設計されかつ寸法決めされたことを特徴とする、請求項２０に記載の装置。
【請求項２２】
前記アダプタコンタクトが、フレキシブルプリント基板（３３）のストリップ導体（３４）により形成されたことを特徴とする、請求項２０または２１に記載の装置。
【発明の詳細な説明】
【技術分野】
【０００１】
本発明は、標準プラグソケットへ複数のプラグを接続するための装置、ならびにプラグシステムおよびプラグ−ソケット分配器モジュールに関する。
【背景技術】
【０００２】
プラグ−ソケットコネクタは、世界中で適用され規格化されており、建物の配線における電気信号リード線用に存在する。たとえば、広く普及しているＲＪ４５プラグ−ソケットコネクタ（国際標準ＩＥＣ６０６０３−７）、標準ＩＥＣ６０６０３−７−７等の標準ファミリーＩＥＣ６０６０３−７−ｘまたはＩＥＣ６１０７６−３−１１０に準拠する関連のプラグ−ソケットコネクタ、さらに、たとえばこれらのプラグ−ソケットコネクタに適合するシステム等である。これらのプラグ−ソケットコネクタに共通するのは、これらが各々少なくとも８つのプラグコンタクトを備えるということである。したがって、接続ポイント毎に、４本の撚り対線を有する１つのケーブルを用いるのが通常である。さらに、ＲＪ１１システムやＲＪ１２システム等の、少なくとも４つのプラグコンタクトと２本の撚り対線とを備える上記プラグ−ソケットコネクタから派生したタイプのプラグ−ソケットコネクタが存在する。建物の配線システムへの適用がしばしば行われるが、これには２対全てまたは４対全てが必要なわけではない。このため、これらの場合においては、未使用のケーブル対を他のサービスに使用できるようにする見込みがある。ケーブルの共用は、しばしばケーブルシェアリングやスプリッティングと呼ばれる。
【発明の概要】
【発明が解決しようとする課題】
【０００３】
多くの場合、ＲＪ４５プラグソケット（または関連の標準に準拠するプラグソケット）は、既に建物内に固定的に設置されている。このため、既存のプラグソケットに差し込み可能である一方で、様々なサービス用の数個のプラグが挿入可能であるような装置（アダプタ、スプリッタ）を求める要望が存在する。しかし、かかる従来のタイプのスプリッタは、ソケット正面およびソケット周辺にかなり大きな空間を必要とするため、隣接するソケットがおそらく使用できないという欠点を有する。さらに、設計の性質上、スプリッタはソケットから突出しており、その結果、機械的な影響や損傷にさらされる。さらに、比較的大きな寸法のスプリッタは、場合によっては、伝送性能に悪影響を与えることがあり、ある特定の状況では、広範囲の補償を必要とする。
【０００４】
これらの瑕疵を緩和するスプリッタシステムが、ＥＰ１１２８４９４から公知である。このシステムはアダプタに基づいており、このアダプタはＲＪ４５ソケットに差し込み可能であり、かつこのアダプタ内にスプリッタプラグが４つまで隣り合わせに差し込み可能である。しかし、ここでの欠点は、スプリッタプラグを非常に狭く構成する必要があり、このために、取扱いが非常に困難であるということである。さらに、対３／６を交差接続するために、複雑で高価なコンタクトの引き方が必要となる。
【０００５】
したがって、本発明は、技術水準における上記の欠点を克服する、標準の信号リード線プラグソケットへ複数のプラグを接続するための装置を提供することを目的とする。
【０００６】
この目的は、特許請求項に記載の装置によって達成される。
【課題を解決するための手段】
【０００７】
本発明に係る装置は、一方の側（ソケット側）に、標準プラグソケットに差し込み可能なプラグ部を備える。他方の側（プラグ側に）、それぞれプラグを差し込み可能な複数の
チャンバが存在する。さらに装置は、プラグ部がソケットに差し込まれることでソケットコンタクトと電気的に接続される、複数のアダプタコンタクトを備える。各チャンバの後方で、アダプタコンタクトのうち少なくとも２つが、たとえばこれらがチャンバ後方において剥き出しの状態で位置する区分を有したり、これらがチャンバ内で、プラグの挿入により押動または枢動が可能な部材によって被覆されたりすることで、差し込まれたプラグのプラグコンタクトを介して、各チャンバの後方において導電的に接触を受けることが可能である。チャンバは、ソケット開口内に少なくとも部分的に位置する、すなわち挿入されたプラグがソケット開口に係合することにより、少なくともプラグの一部がソケット開口内に位置する。さらに本発明によれば、これらは、少なくとも２つのチャンバがソケットコンタクトに関して互いの上部に位置する配置において存在する。これが意味するのは、第１の延在方向（以下、「第１の方向」または「ｘ方向」）が、互いに隣り合って位置する少なくとも４つのソケットコンタクトの配置によって画定される場合、少なくとも２つのチャンバが、第１の方向とは異なる第２の、すなわち垂直な延在方向（ｙ方向）に関して互いに隣り合って配置され（これらは「互いの上部に」配置される）、これらは、たとえば少なくともチャンバの高さ分この第２の方向において互いに隔てられる、ということである。この定義によるｚ方向は、挿入軸またはプラグ軸に相当する。これらの少なくとも２つのチャンバの間の分離壁は、好ましくは第１の方向に沿って、すなわちｘ軸に平行またはｘ−ｚ平面に平行に延びる。
【０００８】
ソケットコンタクトとプラグコンタクトとの間の電気接続は、装置によってもたらされるものであって、前述のような電気接触すなわち能動または受動電子部品を介して（コンタクトの残留抵抗に相当するオーム抵抗およびコンタクト抵抗を除いて）行われるものではない直接接続である。これにより、既存のソケットコンタクトと、差し込まれたプラグのプラグコンタクトとは、アダプタコンタクトを介して導電的に接続される、すなわち連続的なガルバニック接続が存在する。この場合はもちろん、挿入されたプラグの異なるプラグコンタクト間に、アダプタによる電気接続は概して生成されない。しかし、特殊な実施形態において、アダプタが異なるプラグのプラグコンタクト間の電気接続を生成することが可能であり、これは以下にさらに詳述する。
【０００９】
特に好ましくは、チャンバは、「互いに隣り合って」存在するとともに、「互いの上部に」存在する、すなわちこれらは二次元的配置において存在し、互いに略垂直な２方向において互いに隔てられる。
【００１０】
たとえば、矩形状の配置を形成する４つのチャンバが存在してもよい。これに代わって、互いの上部に位置する、すなわちｙ方向において隔てられた２つのチャンバのみが存在してもよい。さらに代替の方法として、互いに隣り合って位置する２つのチャンバと、その上部または下部に位置するより大きなチャンバとが存在してもよい。
【００１１】
「互いの上部に」、「互いに隣り合って」、「鉛直方向に」、「水平方向に」などの用語は、以下において常に、互いに隣り合って位置する少なくとも４つのソケットコンタクトの配置に関し、すなわち「互いに隣り合って」および「水平方向に」は上記ソケットコンタクトを結ぶｘ方向に関し、「鉛直方向に」または「互いの上部に」はこれに垂直な方向に関し、ソケットの向きとは別である。「プラグ側」とはプラグの側の挿入軸に沿うことを意味し、したがって「ソケット側」とはソケットの側の挿入軸に沿うことを意味する。
【００１２】
装置は好ましくは標準ＲＪ４５プラグソケットおよび／または同じ外形寸法の８極の矩形プラグソケットについて設計され、たとえばＩＥＣ６０６０３−７−ｘファミリー、特にＩＥＣ６０６０３−７−７のプラグコネクタ、またはＩＥＣ６１０７６−３−１１０に準拠するプラグコネクタについて設計される。１つの可能性として、本発明に係る装置は
、標準ＩＥＣ６０６０３−７−７およびＩＥＣ６１０７６−３−１１０のプラグソケットにおいて、装置がソケットに完全に差し込まれると、特定のソケットコンタクトを並列に接続するスイッチを作動させるスイッチ作動凸部を備える。本発明に係る装置は、他の標準プラグソケットについて用いられてもよく、たとえばタイプＲＪ１１およびＲＪ１２その他の４極のプラグソケットについて用いられてよい。
【００１３】
本発明は、それぞれプラグを差し込み可能な複数のチャンバが、４極または８極の矩形のプラグ用の、おおよそＲＪ４５ソケットと同じ外形寸法を有するＲＪ４５ソケットまたは異なる標準のソケット内に存在してよいという洞察、および、ソケットにおけるＲＪ４５コンタクトの線状の配置にもかかわらず、チャンバが互いの上部にも位置するチャンバ配置もまた道理にかなうという洞察を利用してよい。したがって、非常に制約された空間条件にもかかわらず、ＲＪ４５（または匹敵するソケット）内の異なる平面上にコンタクトが引かれることを可能にする装置が提供される。よって、本発明は、ＲＪ４５および匹敵するソケットに独特の、コンタクト／プラグが互いに隣り合っている線状の着想−かかる着想はＥＰ１１２８４９４の配置にも相当する−とは異なる手法を採用して、ソケット内の二次元のコンタクトの配置を目的とするものであり、これはたとえばたった１２×７ｍｍのサイズ（ソケット内寸法、すなわちソケット開口）である。この手順により、ＲＪ４５ソケットに関する、コンタクト対４／５および３／６の交差接続の問題をも解決することが可能であり、これはこれらのコンタクト対の一方を「頂部に」、他方を「底部に」引くことにより行われる。
【００１４】
よって、本発明によれば、チャンバに差し込まれたプラグの少なくとも一部がソケット開口に突入するようにチャンバが設計かつ定寸される。この方法によれば、装置をソケット開口から突出しないように、またはわずかしか突出しないように設計することが可能であるので有利である。したがって、機械的な影響や損傷にさらされることが少なくなり、空間的な要件も低くなる。
【００１５】
一実施形態によれば、ソケットの周囲に延び、正面に配置され、ソケット正面板材上に載置されるフランジを装置に設けてよく、該フランジに、たとえば小板片の形態で色識別を組み入れてもよい。あるいは、装置を、ソケット開口に実際上完全に埋まるように設計してもよい。
【００１６】
分離されたチャンバは取扱いを簡略化する。なぜなら、これらにより、プラグが挿入されるべき場所が一目瞭然だからである。チャンバ間の分離壁が、プラグ側において装置の正面側にまで達しているという利点があり、すなわちこれらはソケット内に後退していない。これらは好ましくは連続的であり、すなわち途切れていない。
【００１７】
分離壁で分離され、かつソケット内に少なくともある程度は位置しているチャンバの原理を、本発明の一変更例によれば、単に互いに隣り合って配置されている少なくとも２つのチャンバに適用してもよい。かかる変更された装置を、たとえばＲＪ１１およびＲＪ１２等の４極のプラグシステム用のスプリッタとして用いてよい。このように、この変更例によれば、ｘ方向とは異なる方向にチャンバが互いに隔てられているという特徴は、不可欠な特徴ではない。
【００１８】
先に論じた各実施形態によれば、チャンバを、プラグが正しい向きにしか挿入できないように設計してもよい。機械的識別も存在し、この方法により、プラグを正しくないチャンバ（正しくないプラグ空間）に挿入することが防止される。たとえば、これに関して、チャンバへの信号プラグの挿入は、電話機について、またはＰｏｗｅｒ−ｏｖｅｒ−Ｅｔｈｅｒｎｅｔ（登録商標）用途およびこれに匹敵するものについて想定されており、信号プラグを送電用に設けられたチャンバに挿入することを防止できる。
【００１９】
４つのチャンバが存在する装置が特に好ましく、この場合には、８つのアダプタコンタクトのうちちょうど２つが各チャンバ内において接触を受け得る。たとえばこの実施形態においては、４つのプラグを使用してよく、それぞれ１つのコンタクト対を持つもの、２つのコンタクト対を持つ１つのダブルプラグ、および１つのコンタクト対を持つ２つのプラグ、またはそれぞれ２つのコンタクト対を持つ２つのダブルプラグである。その場合、ダブルプラグを、それぞれが１つのチャンバに差し込み可能なプラグ部を備えるように、かつそれぞれ２つのコンタクト部材と、該コンタクト部材間の対応する凹部であって、２つのチャンバ間に延びる分離壁用の凹部とを持つように設計する。
【００２０】
同様に有利であるが順応性に欠けるのは、４つのアダプタコンタクトを持つ１つのチャンバ、およびそれぞれ２つのアダプタコンタクトを持つ２つのチャンバを有する装置である。
【００２１】
概して、標準プラグソケットの８つ全てのコンタクトがアダプタコンタクトにより接触を受ける、すなわち「失われた」コンタクトが無いことが好ましい。しかし、代替の方法として、装置は、分岐（「Ｙ片」）を形成してもよく、これにより、アダプタコンタクトが互いに異なるチャンバのコンタクト部位に電気的に接触し、このために、ソケットのコンタクト対がアダプタコンタクトによって接触を受けない。分岐として特に好ましい使用法は、ＩＳＤＮバスにおけるそれである。
【００２２】
好ましい実施形態によれば、アダプタコンタクトのコンタクト部位は両方の面において「オス」である、すなわち不動で弾性部分が無い。これには、チャンバに差し込まれるプラグが「メス」である、すなわち弾性コンタクトを設ける必要がある。装置のこの「オス−オス」原理は、殊に安価で殊に省スペースな設計を可能にすることが分かった。
【００２３】
特に好ましくは、アダプタコンタクトをフレキシブルプリント基板（「フレキシブル回路基板」）のストリップ導体により形成する。この実施形態によれば、アダプタコンタクトを形成するストリップ導体は、特にこれらが交差する場合、異なるストリップ導体平面間にスルーコンタクトをさらに備えてよい。
【００２４】
アダプタコンタクトは、好ましくは、一方のコンタクト対３／６と、他方のコンタクト対４／５とが、水平方向には互いに隣り合っていないが、異なる平面上に位置する（すなわち鉛直方向に互いに隔てられる）ように位置する。これは、一方ではアダプタコンタクトの引き方について有利である。なぜなら、この場合には、全く交差接続を必要としないか、あるいは必要としても少ないからである。さらに、一方のコンタクト対１／２および他方のコンタクト対７／８が異なる平面上に位置するに至り、交差して、かつ点対称に互いに対向して位置する場合、特定の用途について有利である。この構成の１つの利点は、特にＣＡＴＶ用途においてもたらされる。すなわち、信号伝送（カテゴリ７（Ｋａｔ．７）伝送能力）に関する品質上の要請によっては、コンタクト対１／２およびコンタクト対７／８のみをこの用途に用いてよい。ＣＡＴＶ接続毎に１つのダブルプラグを用いることにより、かつ一方で対向して位置するコンタクト対１／２と交差の方法で対向して位置するコンタクト対７／８とを介して、この特定の条件を鑑みるとかなり繊細になる傾向がある機械的識別を要することなく、コンタクト対４／５または３／６を誤ってＣＡＴＶ信号伝送に用いるのを防止することが可能である。
【００２５】
同様に、本発明の対象は、本発明に係る装置と、これに嵌合する少なくとも１つのプラグとを持つプラグ−ソケットシステムである。かかるプラグは、弾性プラグコンタクトを備える利点がある。
【００２６】
好ましくは、これらのプラグ（「スプリッタプラグ」）は、現場で組み立て可能なように設計されるので、既存の装置に容易に転換可能である。このため、これらはたとえばプラグコンタクトを有するプラグ基部と、配線カバーとして機能するプラグ装着部とを備える。プラグコンタクトは、一方の側で弾性的に設計される。他方の側で、これらは、たとえば公知の方法で、絶縁変位コネクタ、または任意で貫通するコンタクト、締め付け（圧着）コンタクト、または他のコンタクトを用いて設計される。プラグ装着部は、絶縁されたケーブル芯を受容しかつ導く手段を備える。ケーブル芯は、対応するプラグコンタクトを介して、プラグ装着部とプラグ基部とを共に導くことにより接触を受ける。
【００２７】
好ましくは、純粋に非確動の嵌合保持装置（確動嵌合または実質的な嵌合さえも無い）がプラグと本発明に係る装置との間に存在するため、非常に寸法が小さいことを鑑みて取扱いが容易であるように、プラグもスプリッタの挿入口からケーブルを引っ張ることで抜くことが可能である。あるいは、確動嵌合係止を設けることも可能である。
【００２８】
プラグ−ソケット分配器モジュールは、特に前述のタイプのプラグについて好適であり、さらに本発明に属する。公知の方法でパネル状の正面を形成することが可能であり、互いに隣り合って配列された複数のプラグ開口を備える正面部材のほかに、プラグ−ソケット分配器モジュールは、回路基板も備える。これは、回路基板のストリップ導体が正面部材に面する縁部に沿って各々のコンタクト部位を形成するように配置され、該コンタクト部位は、正面側からプラグ開口の１つに差し込まれると、プラグの弾性電気コンタクトにより電気的に接触を受ける。
【００２９】
さらに、プラグ−ソケット分配器モジュールは、好ましくはコンタクトブロックを備え、該ブロックは、場合によっては保持部材を介して回路基板に固定される、少なくとも２つのコンタクト部材をそれぞれ備える。一方で、これらは、たとえばＩＤＣ絶縁変位コネクタ等の、ケーブル芯を接触させるための手段を備える。他方で、これらはストリップ導体に電気的に接続される。コンタクトブロックは、公知の様式でガイドウェブを備えてよく、該ウェブ間にケーブル芯を差し込むことが可能であり、また配線手段も備えてよく、該手段により、ガイドウェブ間に差し込まれたケーブル芯が、ガイドウェブ間に一層深く押し込まれることにより、ＩＤＣ技術を用いて配線可能である。
【００３０】
特に好ましくは、プラグ開口および回路基板は、プラグが差し込まれると、回路基板の縁部がスロットに突入するように設計かつ配置され、該スロットはプラグにより形成され、その内部にプラグコンタクトが剥き出しの状態で位置している。このスロットは、回路基板の厚みに幅が整合されてよく（またはその逆）、プラグ−ソケット分配器モジュールへの差し込み時ならびに本発明に係る装置への差し込み時にプラグを案内することが可能である。
【００３１】
かかるプラグ−ソケット分配器モジュールには、特定の状況下では互いに緊切して配列されるプラグ開口と、製造に関して好ましい不動のコンタクト部位とを設けることができ、これは本発明に係るプラグ−ソケットシステムのさらなる利点である。
【００３２】
以下、本発明の好ましい実施形態を、図面を参照して説明する。
【図面の簡単な説明】
【００３３】
【図１】本発明に係るＲＪ４５ソケットおよび装置の図を示す。
【図２】本発明に係る装置の図を示す。
【図３】図２による装置の分解図を示す。
【図４】本発明に係る装置の構築ブロックとしてのフレキシブルプリント基板の２つの変形例を示す。
【図５】本発明に係る装置の構築ブロックとしてのフレキシブルプリント基板の２つの変形例を示す。
【図６】本発明に係る装置を有し、かつプラグが挿入された状態であるソケットの、部分的に断面を含む図を示す。
【図７】プラグが挿入された本発明に係る装置の、部分的に断面を含む図を示す。
【図８】コンタクト対用のプラグの図を示す。
【図９】図８によるプラグの分解図を示す。
【図１０】２つのコンタクト対用のプラグの図を示す。
【図１１】図１０によるプラグの分解図を示す。
【図１２】防塵具の図を示す。
【図１３】本発明に係る装置の一変形例の概略正面図を示す。
【図１４】プラグ−ソケット分配器モジュールを示す。
【図１５】コンタクト対用のさらなるプラグの図を示す。
【図１６】本発明に係る装置の一変形例のアダプタ外側部分の図（部分的に断面）を示す。
【図１７】本発明に係る装置の変形例の図を示す。
【図１８】本発明に係る装置の構築ブロックとしてのさらなるフレキシブルプリント基板を示す。
【図１９】２つのコンタクト対用のプラグまたはその部材の図を示す。
【図２０】２つのコンタクト対用のプラグまたはその部材の図を示す。
【図２１】２つのコンタクト対用のプラグまたはその部材の図を示す。
【図２２】２つのコンタクト対用のプラグまたはその部材の図を示す。
【発明を実施するための形態】
【００３４】
図１に公知のタイプのＲＪ４５ソケット１を見ることができる。このソケットには、特定の用途に必要な導電シールド２が設けられている。図では隠れているが、弾性のソケットコンタクトがソケット開口３の内部に露出状態で位置しており、ＲＪ４５プラグのプラグコンタクトにより接触を受け得る。
【００３５】
ソケットのプラグ側端面６は、以下においてパネル表面と表記する。ソケット開口は、パネル表面から内向きに延びる。
【００３６】
本発明に係る装置１１は、とりわけ図１に示され、図２にも示される。該装置は、「スプリッタ」、すなわち信号リード線を分離するために働く。一方の側において、該装置はソケットに差し込み可能なプラグ部１２を備え、ユーザは、ＲＪ４５プラグから公知であるように、ソケットに装置を係止してよい。爪１３は、係止接続を解除するために働く。この係止機構は、それ自体が公知であり、ここでは詳述しない。係止機構は、ＲＪ４５プラグ接続から公知であるのとは異なる方法で設計されていることもある。アダプタコンタクトは、プラグ部のソケットへの差し込み時に弾性のソケットコンタクト５が押し付けられるものであり、ＲＪ４５プラグから公知であるように、中間ウェブ１４間に剥き出しの状態で位置している。
【００３７】
正面側において、すなわちプラグ側において、該装置に数個のチャンバ１５が形成され、装置のプラグ側端面１６から内部に延びている。プラグ側端面のチャンバは、互いに隣り合って、かつ互いの上部に配置される。図示の例では、チャンバは標準プラグソケットの四隅に分散され、矩形の配置を形成している。プラグは、各自のプラグコンタクトがアダプタコンタクトに接触するようにチャンバに差し込み可能であり、これについては以下にさらに説明する。分離壁１７がチャンバ１５間に形成される。図示の実施形態では、分離壁はまっすぐ正面に向かって装置のプラグ側端面に至る。しかし、必ずしもこのようでなくてもよく、実際、分離壁は、わずかに後方にずらされていてもよい。プラグ用の分離
されたチャンバは、どこにプラグを挿入しなければならないのかが一目瞭然なので、取扱いの面で有利である。
【００３８】
ここでは、挿入軸とプラグ軸とはプラグ側端面１６に垂直に延びる。
ここに示すチャンバは、それぞれ少なくとも１つのガイド凸部１８を有し、図においてはそれぞれ２つのガイド凸部が存在する。チャンバの形状は、これ（ら）によって矩形の断面とは異なっており、この手段によりプラグの対応する凹部との協働が可能になり、プラグが正しい向きにおいてのみ差し込めるように保証する。もちろん、これを保証し得る他の手段も当業者には公知である。よって、たとえば、チャンバはガイド凸部に代わって溝を備えてもよく、この溝内にプラグの対応する凸部が差し込み可能である。あるいは、チャンバとプラグとは異なる非矩形断面を有する。
【００３９】
さらに、ガイド凸部１８の様式またはカムもしくは溝もしくは他の整形用構造の形態の好適な整形用構造を介して機械的識別を行ってよく、これにより、チャンバは純粋に矩形の断面とは異なる。たとえば、用途によっては、タイプ「１」のプラグのみ、またはタイプ「２」のプラグのみを各チャンバに差し込んでよい。機械的識別のシステムは、それ自体公知であるが、チャンバにまさに嵌合するプラグが存在することや、あらゆるプラグに嵌合するチャンバが存在することを想定したものであってもよい。
【００４０】
プラグ側において、フランジ２０が装置にさらに形成されており、ソケットを取り囲んでパネル表面を覆う。ここで、フランジは色識別板材２３を取り付けるのに役立つ。これについて、たとえば、それぞれ２つの固定穴２１を、チャンバに割り振られた４箇所に形成する。これらを用いて、色識別板材２３をプッシュボタン方式で固定することが可能である。他の固定タイプももちろん可能である。しかし、図示の実施形態に代わって、フランジを設けないようにしてもよく、装置をたとえばソケット開口に完全に埋まるように設計してもよい。
【００４１】
図３は、３つの部材の分解図を示し、これらの部材から、本実施形態に従って本発明に係る装置が構成される。任意の好ましい実施形態に従って金属で製造されるアダプタ外側部分３１上にチャンバが形成される。金属材料は、壁の厚みが薄くてもチャンバ間の分離壁が安定するという利点を有する。さらに、金属製のアダプタ外側部分は、追加の手段を用いずに、ソケットのシールドとプラグのシールドとの間に電気接触をもたらすことが可能である。しかし、もちろんアダプタ外側部分も、場合により金属で被覆した、硬質プラスチックで製造してよい。
【００４２】
図示の実施形態におけるアダプタ外側部分は、プラグ側に板状の部分を備え、これがフランジ２０を形成する。ここから、任意で設けられる横ガイド壁３１．２とともに、分離壁１７が内向きに延びる。突起部３１．３がソケット側においてこれに連結する。
【００４３】
アダプタ内側部分３２は、ここでは、好ましくはプラスチックである電気絶縁材料で製造される。アダプタ内側部分はリブを備え、該リブは装置が組み立てられた状態において中間ウェブ１４を形成する。
【００４４】
アダプタコンタクトは、ここではフレキシブルプリント基板３３である電気接続部材上のストリップ導体３４として設計される。コンタクト表面のみが図３に描かれており、すなわちストリップ導体の進路は示されていない。装置が組み立てられた状態において、フレキシブルプリント基板３３は、アダプタ外側部分の突起部３１．３の周囲に取り付けられ、部分的にこれを封鎖する。アダプタ内側部分３２は突起部３１．３を包み込み、この手段により、突起部上に前もって位置的に正しく装着されたフレキシブルプリント基板３３が固定される。
【００４５】
示された実施形態におけるアダプタ内側部分３２は、任意的なスイッチ作動凸部３２．１を備え、該凸部により、８つ以上のソケットコンタクトを備えた特定の標準（たとえば標準ＩＥＣ６０６０３−７−７）のプラグソケットが、ソケット内に装置が完全に差し込まれた状態でスイッチを作動させ、このスイッチが特定のソケットコンタクトを並列に接続する。
【００４６】
図３にはストリップ導体のコンタクト表面しか示されていないが、ストリップ導体３４は図４に例として完全に図示されている。装置が組み立てられた状態では、フレキシブルプリント基板はアダプタ外側部分の周囲にＵ字状に取り付けられている。図４はフレキシブルプリント基板のその側面を示し、装置が組み立てられた状態において、該側面はＵ字型の配置に関して外側に位置する。フレキシブルプリント基板の内面には、たとえばストリップ導体が設けられていない。しかし、基板内面もストリップ導体または絶縁された導体表面を備えてよく、これはたとえばクロストーク現象の補償に役立ち、かつ／またはさらなる役割を果たす。この場合には、アダプタ外側部分は導電性であり、任意的なこれらの内側導体構造は、電気絶縁層で被覆される必要がある。
【００４７】
ソケットコンタクト領域４１において、８つのストリップ導体が等間隔かつ各自のプラグ標準により要求される位置に配置される。４つのコンタクトがこのソケットコンタクト領域４１から第１のプラグコンタクト領域４２内に延び、該コンタクトは、対になってプラグコンタクト用のコンタクト部位４４を形成し、前記コンタクト部位は上側の２つのチャンバ内に剥き出しの状態で位置する。示される実施形態における各コンタクト部位４４は、簡単で確実な接触が可能なように、幅広にされ、かつさらに隔てられる。残りの４つのコンタクトは、下側に向かって区分プラグコンタクト領域４３内へと延び、該領域においてこれらは対になって、２つの下側チャンバ内に剥き出しの状態で位置するプラグコンタクト用コンタクト部位４４を形成する。図示の実施形態において、コンタクト対３／６と、２つの外端コンタクト対（ここでは１／２）のうちの一方とが上向きに引かれ、コンタクト対４／５と、他方の外端コンタクト対（ここでは７／８）とが下向きに引かれる。しかし、これが反対である場合もある。いずれにしろ、ストリップ導体をより簡単に引くという理由で、コンタクト対３／６および４／５が同じ平面上に案内されないようにする点で有利である。同様に、２つの外端コンタクト対が同じ平面上に位置せず、かつ点対象に対向して位置する点でも有利である。
【００４８】
ストリップ導体は、図４に示す外面において、ソケットコンタクト領域４１およびプラグコンタクト領域４２，４３以外が絶縁層によって被覆されてもよい。
【００４９】
図３および図４においてさらに２つの位置決め穴４５が視認でき、該穴に、アダプタ外側部分３１の（または、図示の実施形態に代わって、アダプタ内側部分の）各位置決めピン３１．１が係合し、これにより相対的な位置が設定される。
【００５０】
図５は、本発明に係る装置の代替実施形態について使用可能なフレキシブルプリント基板３３を示す。この代替実施形態において、一方でストリップ導体対４／５が、他方でストリップ導体対３／６が、２つの上側チャンバまたは２つの下側チャンバのコンタクト部位にそれぞれ引かれる、すなわち、チャンバ（「左側上部」および「右側上部」）のコンタクト部位が「右側下部」または「左側下部」のチャンバのコンタクト部位と平行に引かれる（Ｙ片）。ソケットの２つの外端コンタクト対は、この実施形態では使用されない。
【００５１】
技術的設計の性質上、すなわち形状的な理由で、図５のフレキシブルプリント基板のストリップ導体は、交差しなければならない。このため、いくつかのストリップ導体は、他方の側面（「内面」）に延び、かつ破線で（見えないストリップ導体として）図面に示さ
れている区分を有する。貫通孔５１（「ビア」、「フィードスルー」）がストリップ導体の該区分の間に存在して、正面側と裏面側とに延びている。内面において、ストリップ導体は、好ましくは電気絶縁層によって覆われて、任意で導電性であるアダプタ外側部分に対する電気接触が生じないようになっている。
【００５２】
本実施形態において、本発明に係る装置は、Ｙ片として機能し、たとえばＩＳＤＮ−バスに役立つ。
【００５３】
もちろん、図４および図５によるフレキシブルプリント基板の機能を、示されているもの以外の回路基板を用いて実現してもよい。フレキシブルプリント基板の多層の実施形態（マルチレイヤともいう）も考えられる。
【００５４】
フレキシブルプリント基板に代わって、チャンバ内のコンタクト部位とここで説明するソケットのソケットコンタクトとの間のコンタクトを製造するために他の手段を適用してもよい。非フレキシブル状の電気接続部材（すなわち要件に従って成形された回路基板）、パンチコンタクト、または他の電気接点もかかる選択肢として考えられる。しかし、上記フレキシブルプリント基板は、特に装置の安価で省スペースな構造を可能とすることから、殊に有利である。
【００５５】
装置の挿入状態では、ソケットコンタクト領域４１において、標準プラグソケット１の弾性のソケットコンタクト５が、アダプタコンタクトとして機能するストリップ導体に接触する。プラグが装置に挿入されると、第１のプラグコンタクト領域４２が、（上側チャンバに挿入されたプラグを介して）接触を受け、かつ／または第２のプラグコンタクト領域４３が（下側チャンバに挿入されたプラグを介して）接触を受ける。
【００５６】
本発明に係る装置のこの機能原理は、図６および図７による描写に幾分より明瞭に見て取ることができるであろう。個別のプラグ６１および／またはダブルプラグ６２は、プラグコンタクト６３をそれぞれ備え、チャンバ１５に差し込み可能である。プラグコンタクトはコンタクト領域６３．１において弾性的に「メス」として設計されることにより、プラグ４４の挿入状態においてコンタクト部位４４上に押し付けられ、かつこれらのコンタクト部位に接触する。プラグコンタクト６３には、絶縁変位コネクタ６３．２を設けてよく、これにより、絶縁変位コネクタ技術の方法で、離脱していく（または入来する）ケーブルの導体芯にすぐに接触し得る。
【００５７】
プラグコンタクトは、たとえばバネ銅で製造され、その表面が機能に応じて処理されてよい。たとえばコンタクト領域６３．１は金で被覆されてよく、かつ／または絶縁変位コネクタ６３．２はスズで被覆されてよい。
【００５８】
図８および図９は、より詳細にタイプ１のプラグ６１の一実施形態を示す。プラグは、配線カバーとして機能するプラグ基部６５およびプラグ装着部６６を備える。プラグ基部は、プラグコンタクト６３を収容し、これらを定位置に保持する。プラグコンタクトの弾性区分６３．１は、上記のようにコンタクト部位を形成しており、プラグ基部によって形成されるスロット６７の内部に位置し、この手段によりコンタクトが保護される。スロット付きの設計のさらなる利点は、プラグによってコンタクト表面が回路基板上に直接接触することが可能なことであり、このことはさらに詳細に後述する。
【００５９】
電気導体（ケーブル芯）の配線および固定は、プラグ装着部６６によって行われる。プラグ装着部は、基部６６．１と、この基部にフィルムヒンジ６６．２を介して枢動可能に連結される引張解除部６６．３とを任意で備える。導体は、まずプラグ装着部の２つの長手方向開口６６．４（たとえば穿孔）を通される。続いて、引張解除部６６．３は、基部
に向かって畳まれ、これにより全体としてケーブルを固定する。そして、長手方向開口から突出する芯の区分は、正面にぴったり接する長さに切断されてよい。次いで、プラグ装着部６６は、プラグコンタクト６３が設けられているプラグ筺体に押し付けられ、これにより導体を接続する。たとえば、プラグ装着部は係止のための係止凸部６６．５を備え、該凸部はプラグ基部の対応する開口６５．１に係合する。
【００６０】
まさに正面において、突耳状の凸部６５．２がプラグ６１のプラグ部６１上に形成され、これらの凸部は装置の中に対応する対照片を有し、プラグが各チャンバに差し込まれた際に、非確動嵌合用の止め具として働く。
【００６１】
プラグ６１は、装置のフランジ２０として、さらに識別用板材２３を固定するための固定穴６６．６をさらに備え、これは図７に図示されている。
【００６２】
４芯ケーブル用プラグの変形例を図１０および図１１に示す。プラグ６２は２つのプラグ部６２．１，６２．２を有し、それぞれが、装置１１の互いに隣り合う２つのチャンバ１５の一方に挿入されてよく、かつそれぞれが上記のタイプのスロット６７を備える。プラグ６２の配線は、２芯バージョンを用いて上記に説明した手順と同様に実施されるが、後者とは異なり、たとえば別体の橋状の引張解除部６９が引張解除用に設けられ、プラグ装着部６６内にケーブルが位置決めされた後、該解除部がこれに連結され、この手段によりプラグ装着部は枢動部材を必要としない。引張解除部６９は係止閉じ具を用いて設計され、異なる直径のケーブルについて引張解除が出来るようになっている。
【００６３】
図１０および図１１に示すプラグは、シールド７０をさらに備える。これはたとえば金属板から製造される。シールドは少なくとも１つの第１接触舌部７０．１を備え、挿入された状態の該舌部には、装置の導電区分、たとえばチャンバ１５の内壁が接触する。ここではたとえば接触舌部として設計される第２のコンタクト部位７０．２は、プラグに接続されるケーブルのシールドとの電気的な接触をもたらすのに役立つ。
【００６４】
図８〜１１はもちろん数多のプラグ設計方法のうちの２例を示すのみであるが、当業者であれば、シールドを設けた、または設けない様々な配線機構および引張解除機構について、さらなる異型を着想するであろう。よって、たとえば図８および図９に図示するようなシングルプラグ６１にシールドを設けてもよい。好ましくは、いずれの場合でもプラグコンタクト６３は弾性のコンタクト領域を有するように設計される。ここでも非弾性の実施形態の着想が可能であるが、この場合にはアダプタ領域において接触区域がより複雑になる。
【００６５】
本発明に係る装置の用途の可能性として、下記の装置の単一ＲＪ４５（または関連の）プラグソケットへの接続が挙げられる。
−  ４つの電話機および／またはファクシミリ装置、
−  ２つのファストイーサネット（登録商標）ＬＡＮ接続、
−  １つのファストイーサネット（登録商標）ＬＡＮ接続、１つの電話機、および１つのファクシミリ装置（または２つの電話機または２つのファクシミリ装置）、
−  ２つのＣＡＴＶ接続、
−  １つのＣＡＴＶ接続、および１つの電話機、および任意でさらなるファクシミリ装置またはさらなる電話機。
【００６６】
さらに、装置は次の用途に用いられてもよい。
−  ＰｏＥ（Ｐｏｗｅｒ  ｏｖｅｒ  Ｅｔｈｅｒｎｅｔ（登録商標））用のミッドスパン電源アダプタ、または
−  ２つの装置のＩＳＤＮ  Ｓ−バス配線。
【００６７】
図１２は、本発明に係る装置用の防塵具８１をさらに示し、該防塵具は、４つの個別のプラグ８１．１〜８１．４を備え、これらは必要に応じて分割されてよく、不使用時にチャンバを個別に、グループ毎に、またはまとめて閉鎖できるようになっている。
【００６８】
さらに、本発明に係る装置のさらに２つの任意の構成を概略的な図１３を用いて説明する。該図は、装置の正面図を示す。図１３の変形例における装置９０は、チャンバを３つのみと、４つのアダプタコンタクトとを備え、該チャンバのうち第１のチャンバ９１は、他の２つのチャンバ９２，９３の概ね２倍の大きさである。第１のチャンバ９１は、４極の特殊プラグ（不図示）または図１０に示すタイプのダブルプラグ６２の接続に役立ち、他のチャンバ９２，９３は図１〜７のように設計される。図１３による配置、またはより大きな「ダブルチャンバ」や２つのより小さな「シングル」チャンバを備えた別の配置を、たとえば電話機、ファクシミリ装置、またはコンピュータのイーサネット（登録商標）インターフェイスを介した接続の特殊化された変形例として用いてよい。より順応性の高い図１および図７による標準変形例に対する１つの利点は、同じ可能性のみならずさらなる可能性をももたらすものであり、順応性が低減することにより誤操作が少なくなり、たとえば色識別や機械的識別に全くまたは限定的にしか依存しないという点に見られる。
【００６９】
装置９０のさらなる特徴的構成は安全ウェブ９４であり、該ウェブは分離壁１７の正面にまで到達し、正面側スロット６７を持つ前述のタイプのプラグ６１，６２を、分離壁１７が該スロットに突入してプラグコンタクト間の短絡を生じさせるような挿入ができないようにする。かかる安全ウェブ９４またはこれに関する手段は、もちろん４つのチャンバを備える装置の変形例にも用いてよい。
【００７０】
任意的な識別板材用の固定穴２１は、図１３による変形例において側面に沿って配置される。
【００７１】
図１３において、座標系のｘ軸およびｙ軸が書き込まれている。全ての実施形態と同様に、ｘ軸は、少なくとも４つの隣り合うソケットコンタクトを、相互に結ぶ軸に相当する。ｙ軸は、ソケット正面板材に平行な方向である。図２および図１３による配置では、それぞれｘ軸に平行に延びる分離壁１７とともに、ｙ軸に平行に延びる分離壁が存在する。
【００７２】
図１４に、上述のタイプのプラグとともに使用可能なプラグ−ソケット分配器モジュール１０１を示す。プラグ−ソケット分配器モジュール１０１は複数のプラグ開口１０３を持つ正面部材１０２を備え、該開口は好ましくは互いに隣り合って配置され、かつ該開口にはシングルプラグ６１またはダブルプラグ６２を挿入することが可能である。プラグ開口１０３の外側寸法は、場合によって、機械的識別が異なる場合を除いて、好ましくは装置１１，９０のチャンバ１５の外側寸法に相当する。２つのプラグ開口１０３の間の距離は好ましくは、装置１１，９０の水平方向に互いに隣り合う２つのチャンバ１５の間の距離に相当する。よって好ましくは、互いに隣り合う２つのプラグ開口の全幅は、これら２つのプラグ開口１０３の間の中間スペースを含めて、ＲＪ４５プラグソケットの幅以下である。プラグ開口１０３は、好ましくは等間隔に配置される。図示の例における正面部材１０２は、筺体または部品の正面板材である。
【００７３】
プラグおよび分配器モジュール１０１は、回路基板１０４をさらに備え、該回路基板上に、コンタクト部位（図には不図示）を持つストリップ導体が存在し、プラグが正面からプラグ開口を通って差し込まれると、該ストリップ導体上をプラグコンタクト６３の弾性コンタクト領域６３．１が押圧する。これに応じて、コンタクト部位が、回路基板の一方の表面上（すなわち、図示の配置では上面および／または下面）に、正面板材に面する回路基板の縁部１０４．１に沿って配置される。回路基板の厚み、プラグ開口の位置、なら
びにプラグのスロット６７の幅および位置は互いに整合されて、挿入されたプラグが縁部１０４．１の近傍で回路基板を取り巻くようになっており、場合によっては、コンタクト領域６３．２のばね力によってそこにしっかりと締め付けられる。機構それ自体は公知であり、たとえば締め付け作用について付加的に設けられ、プラグ−ソケット分配器モジュールに接続されたプラグを固定するようになっている。
【００７４】
示された実施形態の例では、導線用の接続ブロック１０５がさらに回路基板上に装着されている。これらは公知の様式で複数の絶縁変位コネクタを備え、該コネクタのコンタクト端子の間には絶縁されたリード線が押し付けられ、それによって該リード線に電気的に接続され得る。これらの絶縁変位コネクタは、たとえばプラグ−ソケット分配器モジュールのコンタクト部材上に存在し、該部材は回路基板に直接はんだ接続され、かつ／または孔によって保持されてストリップ導体により接触を受けてもよい。接続ブロック１０５は、それぞれたとえば接続ブロック基部筐体１０７を備え、該筐体はプラグ−ソケット分配器モジュールのコンタクト部材と接続ブロック配線カバー１０８とを保持し、該配線カバーによって、基部筐体のガイド溝に突入するリブを用いて、公知の方法（たとえばＥＰ０６７１７８０）で、導体がコンタクト端子の間に押し付けられてよい。当業者に公知の、プラグ接続の全タイプ等の他の接続手法も、ここに説明する接続ブロックを用いた接続技術に代わって可能である。
【００７５】
もちろん、コンタクト部位とコンタクト部材との間の接続のほかに、回路基板１０４はさらなる能動および／または受動部材を含んでよい。これらは、さらにストリップ導体を持つ数層と、これらの間の貫通孔をさらに備えてよく、かつ／またはクロストークの補償のためのストリップ導体ガイドを備えてもよい。
【００７６】
図１５は、（図８による向きに関して）下から見たタイプ１のプラグ６１のさらなる例を示す。その機能および構造に関して、このプラグは、図８および図９を用いて記載されたプラグ６１に類似している。しかし、これとは異なり、本発明に係る装置との非確動係止は、異なる方法で解決される。下側のプラグは、これも前述のプラグと同様に、軸方向に延びる切開６８を備え、該切開に安全ウェブ９４が係合して挿入状態になる。前述の実施形態に対して、この切開６８上の係止突耳６５．２は内向きに突出し、安全ウェブ９４の後方で係止する。図１６に示すように、次いで安全ウェブは、好ましくはソケット側の端部に向かう肥厚部９４を構成し、該端部の後方で前記係止が行われる。
【００７７】
本発明に係る装置のさらなる有利な変形例を図１７および図１８を用いて説明する。この変形例によれば、アダプタ外側部分の位置決めピン３１．１と、回路基板の対応する位置決め穴４５とは、前述の実施形態とは異なり、対称的に配置されていない。これにより、回路基板がアダプタ外側部分３１の突起部３１．３の周囲に誤った方向で取り付けられないよう保証する。図１７から明らかなように、これにもかかわらずアダプタ内側部分３２が対称的または少なくとも略対称的に配置された各穴を備えており、対応の位置決めピン３１．１および回路基板の対応のガイド穴４５が１以上の穴について存在せず、図示の配置においては、それは左側の穴である。アダプタ内側部分３１における穴の対称的な配置には、機械的変形が生じた場合に、同じ抵抗モーメントが該部分の全幅にわたって存在するという利点がある。
【００７８】
さらに、図４とは異なり、コンタクト対７／８のコンタクトＫ７，Ｋ８は、図１８による回路基板３３の実施形態において交差されている。このことは、コンタクトの極性が重要である場合に有利である。概して、コンタクトＫ１，Ｋ３，Ｋ５，およびＫ７は同じ極性である（極性ａ）。コンタクトＫ７およびＫ８が交差することによって、プラグの同じ面に同じ極性のコンタクトをそれぞれ首尾よく位置させられる。
【００７９】
プラグのさらなる任意の特徴的構成を、図１９〜２２に示す４芯ケーブル用のプラグ（ダブルプラグ）を用いて示す。図１９はプラグの分解図を示し、図２０は引張解除部材７１とプラグ装着部６６との相互作用を示し、図２１および図２２はそれぞれ異なる側からのプラグ６２の図を示す。
【００８０】
ここでも、図１０および図１１による既述のプラグとの相違点が扱われる。
金属製で弾性の引張解除部材７１が引張解除のために存在し、該部材は、プラグ装着部６６の対応の整形用構造６６．７内に係止されてよく、かつ返しにより該プラグ装着部の内側に引っ掛かる。引張解除部分が金属製であることで、プラスチックと比べて弾力性が増している。さらに、金属製の設計により、配線に用いられるケーブル（接続ケーブル）の外径に無限に適合でき、これはプラスチックの設計（係止ステップ）では不可能である。
【００８１】
図１１に示すシールドとは異なり、シールド７０は第１の接触舌部７０．１を有しないがコンタクト端子７０．３を有し、該端子は、挿入状態において分離壁の周囲を締め付け、フォークコンタクトの方法でこれに電気的に接触する。
【００８２】
本実施形態におけるシールドは同時に、プラグ基部６５とプラグ装着部６６との間の接続部材としても働く。シールドは、逃げ溝７０．４によってプラグ基部６６上に弾装され、この逃げ溝の横方向のウェブ７０．５が、係止凸部（係止突耳６５．５）の後方で係止する。
【００８３】
当業者であれば、多くのさらなる実施形態が本発明の文脈および精神において可能であることが認識するであろう。
【図１】
2010501987.tif 000003
【図２】
2010501987.tif 000004
【図３】
2010501987.tif 000005
【図４】
2010501987.tif 000006
【図５】
2010501987.tif 000007
【図６】
2010501987.tif 000008
【図７】
2010501987.tif 000009
【図８】
2010501987.tif 000010
【図９】
2010501987.tif 000011
【図１０】
2010501987.tif 000012
【図１１】
2010501987.tif 000013
【図１２】
2010501987.tif 000014
【図１３】
2010501987.tif 000015
【図１４】
2010501987.tif 000016
【図１５】
2010501987.tif 000017
【図１６】
2010501987.tif 000018
【図１７】
2010501987.tif 000019
【図１８】
2010501987.tif 000020
【図１９】
2010501987.tif 000021
【図２０】
2010501987.tif 000022
【図２１】
2010501987.tif 000023
【図２２】
2010501987.tif 000024
【国際調査報告】
2010501987.tif 000025
2010501987.tif 000026
2010501987.tif 000027
2010501987.tif 000028
2010501987.tif 000029
2010501987.tif 000030
2010501987.tif 000031
2010501987.tif 000032
2010501987.tif 000033
2010501987.tif 000034